(57)【特許請求の範囲】
【請求項１】
補助灯を螺着可能な螺着部を有した照明装置に装着するカメラであって、
前記螺着部に螺着するとともに前記螺着部から電源供給を受ける受電部と、前記受電部を流れる電源電流に映像信号を重畳する信号重畳回路とを有し、前記螺着部に前記映像信号を出力することを特徴とするカメラ。
【請求項２】
補助灯を螺着可能な螺着部を有した照明装置に装着するカメラであって、
前記螺着部に螺着するとともに前記螺着部から電源供給を受ける受電部と、前記受電部から絶縁して配設され、前記螺着部に映像信号を出力する信号出力端子とを有したことを特徴とするカメラ。
【請求項３】
蛍光灯その他の照明灯と、補助灯を螺着可能な螺着部とを有したカメラ内蔵型照明装置であって、
前記螺着部に螺着され、前記螺着部から電源供給を受けるカメラと、外部から供給された外部電源電流に前記カメラからの映像信号を重畳する信号重畳回路とを有したことを特徴とするカメラ内蔵型照明装置。
【請求項４】
請求項１または請求項２に記載のカメラを前記螺着部に螺着したことを特徴とする請求項３に記載のカメラ内蔵型照明装置。
【請求項５】
光を遮蔽する遮蔽板を、前記螺着部の周囲に取り付けたことを特徴とする請求項３または請求項４に記載のカメラ内蔵型照明装置。
【請求項６】
前記カメラが、音声を入力するマイクを有し、前記照明装置の信号重畳回路が、前記映像信号に加えて音声信号を前記外部電源電流に重畳することを特徴とする請求項３乃至請求項５いずれかに記載のカメラ内蔵型照明装置。
【請求項７】
外部から供給された外部電源電流に重畳されている、前記照明灯の点灯または消灯を示す照明制御信号を抽出する信号抽出回路と、前記照明制御信号に基づいて前記照明灯の点灯および消灯を制御する照明制御部とを備えたことを特徴とする請求項３乃至請求項６いずれかに記載のカメラ内蔵型照明装置。
【請求項８】
請求項７に記載のカメラ内蔵型照明装置に対する前記照明制御信号を、前記外部電源電流に重畳する信号重畳回路と、前記カメラ内蔵型照明装置からの映像信号を前記外部電源電流から抽出する信号抽出回路と、前記映像信号が含む画像を認識して人を検出する画像認識部と、前記画像認識部が人を検出したとき、前記照明灯の点灯を指示する照明制御信号を前記信号重畳回路に出力する照明指示部とを備えたことを特徴とする制御装置。
【請求項９】
請求項３乃至請求項７いずれかに記載のカメラ内蔵型照明装置からの映像信号を前記外部電源電流から抽出する信号抽出回路と、前記映像信号が含む画像を出力する画像出力手段とを備えたことを特徴とする監視装置。
【請求項１０】
請求項７に記載のカメラ内蔵型照明装置に対する前記照明制御信号を前記外部電源電流に重畳する信号重畳回路と、前記映像信号が含む画像を認識して人を検出する画像認識部と、前記画像認識部が人を検出したとき、前記照明灯の点灯を指示する照明制御信号を前記信号重畳回路に出力する照明指示部とを備えたことを特徴とする請求項９に記載の監視装置。
【発明の詳細な説明】
【０００１】
【発明の属する技術分野】
本発明は、主に住居内の監視を行うカメラ、カメラ内蔵型照明装置、制御装置、および監視装置に関するものである。
【０００２】
【従来の技術】
従来、照明装置にカメラを内蔵して、監視を行うものとして、特開平７−１４６５０２号公報に記載されたような、路上のカメラ内蔵型照明装置は、存在していた。
【０００３】
【発明が解決しようとする課題】
しかしながら、このような従来のカメラ内蔵型の照明装置には、照明点灯状態における監視カメラの制御について全く配慮がなく、常時監視を行うのみであったため、監視カメラを作動させる必要がない場合においても、無駄な電力を消費するとともに、不必要な画像を撮像および録画してしまうという問題があった。
【０００４】
また、映像信号を伝送する伝送ケーブルの配線作業が容易でなく、導入コストが高くついてしまうという問題があった。
【０００５】
本発明はこのような問題を解決するためになされたもので、照明灯の点灯状態に追従させることができる優れたカメラ内蔵型照明装置を提供するものである。
【０００６】
【課題を解決するための手段】
本発明のカメラは、補助灯を螺着可能な螺着部を有した照明装置に装着するカメラであって、前記螺着部に螺着するとともに前記螺着部から電源供給を受ける受電部と、前記受電部を流れる電源電流に映像信号を重畳する信号重畳回路とを有し、前記螺着部に前記映像信号を出力する構成を有している。この構成により、通常の仕様の照明装置において、すなわち蛍光灯その他の照明灯が消灯状態のときのみ補助灯用の電源を供給するようになっている照明装置において、補助灯の代わりに本発明のカメラを螺着することによって、照明灯が消灯しているときのみカメラが画像を撮像することとなり、照明灯を消灯して住居外に外出しているときのみ、監視カメラを作動させるようにすることができることとなる。また、新たなカメラを設置するためのスペースを特に必要としないので、容易に監視システムを導入することができることとなる。
【０００７】
本発明のカメラは、補助灯を螺着可能な螺着部を有した照明装置に装着するカメラであって、前記螺着部に螺着するとともに前記螺着部から電源供給を受ける受電部と、前記受電部から絶縁して配設され、前記螺着部に映像信号を出力する信号出力端子とを有した構成を有している。この構成により、通常の仕様の照明装置において、すなわち蛍光灯その他の照明灯が消灯状態のときのみ補助灯用の電源を供給するようになっている照明装置において、補助灯の代わりに本発明のカメラを螺着することによって、照明灯が消灯しているときのみカメラが画像を撮像することとなり、照明灯を消灯して住居外に外出しているときのみ、監視カメラを作動させるようにすることができることとなる。また、新たなカメラを設置するためのスペースを特に必要としないので、容易に監視システムを導入することができることとなる。
【０００８】
本発明の照明装置は、蛍光灯その他の照明灯と、補助灯を螺着可能な螺着部とを有したカメラ内蔵型照明装置であって、前記螺着部に螺着され、前記螺着部から電源供給を受けるカメラと、外部から供給された外部電源電流に前記カメラからの映像信号を重畳する信号重畳回路とを有した構成を有している。この構成により、補助灯の代わりにカメラを螺着することによって、照明灯が消灯しているときのみカメラが画像を撮像することとなり、照明灯を消灯して住居外に外出しているときのみ、監視カメラを作動させるようにすることができることとなる。また、カメラからの映像信号を外部電源電流に重畳し、電灯線上に伝送するので、映像信号を伝送する伝送ケーブルの配線作業が不必要となり、また、配線のコストがかからず、容易に監視システムを導入することができることとなる。
【０００９】
本発明の照明装置は、光を遮蔽する遮蔽板を、前記螺着部の周囲に取り付けた構成を有している。この構成により、照明灯その他の周囲からの光がカメラに回り込むことがなくなるので、鮮明な画像を撮像することができることとなる。
【００１０】
本発明の照明装置は、前記カメラが、音声を入力するマイクを有し、前記照明装置の信号重畳回路が、前記映像信号に加えて音声信号を前記外部電源電流に重畳する構成を有している。この構成により、音声によって住居内の状況を的確に把握することができることとなる。
【００１１】
本発明の照明装置は、外部から供給された外部電源電流に重畳されている、前記照明灯の点灯または消灯を示す照明制御信号を抽出する信号抽出回路と、前記照明制御信号に基づいて前記照明灯の点灯および消灯を制御する照明制御部とを備えた構成を有している。この構成により、カメラが画像を撮像しているときに、電灯線を介して、外部から照明灯を点灯および消灯することができるので、必要なときのみ、鮮明な画像によって住居内の状況を的確に把握することができることとなる。
【００１２】
本発明の制御装置は、カメラ内蔵型照明装置に対する前記照明制御信号を、前記外部電源電流に重畳する信号重畳回路と、前記カメラ内蔵型照明装置からの映像信号を前記外部電源電流から抽出する信号抽出回路と、前記映像信号が含む画像を認識して人を検出する画像認識部と、前記画像認識部が人を検出したとき、前記照明灯の点灯を指示する照明制御信号を前記信号重畳回路に出力する照明指示部とを備えた構成を有している。この構成により、住居内に人が侵入したとき、鮮明な画像によって住居内の状況を的確に把握することができることとなる。
【００１３】
本発明の監視装置は、カメラ内蔵型照明装置からの映像信号を前記外部電源電流から抽出する信号抽出回路と、前記映像信号が含む画像を出力する画像出力手段とを備えた構成を有している。この構成により、電灯線に接続すれば、住居内の監視をすることができることとなる。
【００１４】
本発明の監視装置は、カメラ内蔵型照明装置に対する前記照明制御信号を前記外部電源電流に重畳する信号重畳回路と、前記映像信号が含む画像を認識して人を検出する画像認識部と、前記画像認識部が人を検出したとき、前記照明灯の点灯を指示する照明制御信号を前記信号重畳回路に出力する照明指示部とを備えた構成を有している。この構成により、住居内に人が侵入したとき、鮮明な画像によって住居内の状況を的確に把握することができることとなる。
【００１５】
【発明の実施の形態】
以下、本発明の実施の形態について、図面を用いて説明する。
【００１６】
（第１実施形態）
図１は本発明の第１実施形態における監視システムのブロック図である。
【００１７】
本実施形態における監視システムは、図１に示すように、住居内に設置された照明装置２００と、住居外に設置されて、電灯線４０ａ、４０ｂ、４０ｃ（外部電源供給線）を介して照明装置２００と通信する監視装置３００（制御装置および監視装置）とで構成されている。
【００１８】
照明装置２００はカメラ１００を有しており、このカメラ１００が画像を撮像し、撮像された画像を含む映像信号は電灯線４０ａ、４０ｂ、４０ｃを介して、監視装置３００に伝送され、監視装置３００が映像信号を画像として出力することにより、監視装置３００において住居内を監視するようになっている。
【００１９】
カメラ１００は、レンズ１１と、ＣＣＤ（Ｃｈａｒｇｅ  Ｃｏｕｐｌｅｄ  Ｄｅｖｉｃｅ）１２と、マイク１３と、信号処理回路１４と、信号重畳回路１５と、受電部（第１の受電部１８、および、第２の受電部１９）とを有する。
【００２０】
カメラ１００において、レンズ１１は住居内の光をＣＣＤ１２に集束する。
【００２１】
ＣＣＤ１２は光を電気信号（映像信号）に変換する。
【００２２】
マイク１３は音声を入力して電気信号（音声信号）に変換する。
【００２３】
信号処理回路１４は、ＣＣＤ１２から入力した映像信号およびマイク１３から入力した音声信号に対して増幅と符合化とを行い、映像信号と音声信号とを合成して、信号重畳回路１５に出力する。
【００２４】
信号重畳回路１５は、映像信号と音声信号とが合成された信号（合成信号）を、受電部１８、１９を流れる交流（内部電源電流）に重畳する。また、信号重畳回路１５は、受電部１８、１９を介して供給された電源を、信号処理回路１４その他の電源供給を必要とするカメラ１００内の各部に供給する。
【００２５】
受電部１８、１９は、照明装置２００から電源供給を受ける電極である。なお、第１の内部電源供給線４１はナツメ球２３が点灯する電圧レベルの電源を供給するようになっている。
【００２６】
照明装置２００は、カメラ１００と、蛍光灯２１（照明灯）と、励磁コイル２２と、信号抽出回路２４、２６と、信号重畳回路２５と、第１スイッチＳＷ１と、第２スイッチＳＷ２と、第３スイッチＳＷ３と、照明制御部２７とを有する。
【００２７】
第１スイッチＳＷ１は、ナツメ球２３またはナツメ球２３の代わりに照明装置２００に螺着されたカメラ１００に、電源を供給するか否かを切り替える。この第１スイッチＳＷ１がオンの状態になると、第１の内部電源供給線４１に、交流（第１の内部電源電流）と、カメラ１００からの映像信号および音声信号とが伝送される。
【００２８】
第２スイッチＳＷ２および第３スイッチＳＷ３は蛍光灯２１を点灯するか否かを切り替える。この第２スイッチＳＷ２または第３スイッチＳＷ３がオンの状態になると、第２の内部電源供給線４２に交流（第２の内部電源電流）が伝送され、励磁コイル２２が励磁され、蛍光灯２１が点灯する。
【００２９】
なお、第１スイッチＳＷ１がオン状態のとき、第２スイッチＳＷ２はオフ状態となり、第２スイッチＳＷ２がオン状態のとき、第１スイッチＳＷ１はオフ状態となる。
【００３０】
信号抽出回路２４は、第１の内部電源供給線４１から、映像信号および音声信号を抽出する。
【００３１】
信号重畳回路２５は、抽出された映像信号および音声信号を、外部電源供給線４０ａを流れる交流（外部電源電流）に重畳する。
【００３２】
信号抽出回路２６は、外部電源供給線４０ａが伝送する外部から供給された交流（外部電源電流）に重畳されている照明制御信号を抽出する。ここで、照明制御信号とは、蛍光灯２１の照明または消灯を指示する信号である。
【００３３】
照明制御部２７は、信号抽出回路２６が抽出した照明制御信号に基づいて、蛍光灯２１の点灯および消灯を制御する。具体的には、照明制御部２７は、第３スイッチＳＷ３のオン状態とオフ状態とを切り替える。なお、前述したように第１スイッチＳＷ１がオン状態のとき、第２スイッチＳＷ２はオフ状態となるが、照明制御部２７が第３スイッチＳＷ３をオフ状態からオン状態に切り替えることによって、第１スイッチＳＷ１がオン状態のとき、すなわちカメラ１００が撮像しているときに、蛍光灯２１を点灯させる。
【００３４】
監視装置３００は、信号抽出回路３１と、信号処理回路３２と、モニタ３３（画像出力部）と、スピーカ３４（音声出力部）と、画像認識部３５と、照明指示部３６と、信号重畳回路３７とを有する。
【００３５】
信号抽出回路３１は、照明装置２００からの映像信号および音声信号を、外部電源供給線４０ｃの交流（外部電源電流）から抽出する。ここで、信号抽出回路が抽出した信号は、映像信号と音声信号とが合成された信号（合成信号）である。
【００３６】
信号処理回路３２は、信号抽出回路３１から入力した合成信号について、映像信号と音声信号とを分離し、分離した映像信号と音声信号に対して復号化と増幅とを行う。
【００３７】
モニタ３３は信号処理回路３２から入力した映像信号が含む画像を出力する。
【００３８】
スピーカ３４は信号処理回路３２から入力した音声信号を音声にして出力する。
【００３９】
画像認識部３５は、信号処理回路３２から入力した映像信号、すなわち照明装置２００からの映像信号が含む画像を認識し、住居内に居る人を検出する。画像認識部３５は、人を検出したとき、照明指示部３６に人を検出したことを通知する。
【００４０】
照明指示部３６は、画像認識部３５が人を検出したとき、蛍光灯２１の点灯を指示する照明制御信号を信号重畳回路３７に出力する。
【００４１】
信号重畳回路３７は、照明制御信号を、外部電源供給線４０ｃが伝送する交流（外部電源電流）に重畳する。
【００４２】
図２は照明装置２００の斜視図、図３はカメラ１００の断面図、図４はカメラ１００の斜視図である。なお、図２、図３および図４において、図１に示す構成要件と同じ構成要件には同じ符号を付している。
【００４３】
図２において、照明装置２００は、ナツメ球またはナツメ球の代わりにカメラ１００を螺着する第１給電部２８および第２給電部２９（螺着部２８、２９）と、蛍光灯２１からカメラ１００への光の回り込みを遮蔽する遮蔽板２０１とを備える。
【００４４】
図３および図４に示すカメラ１００の第１受電部１８は図２に示す照明装置２００の第１給電部２８に螺合し、カメラ１００の第２受電部１９は照明装置２００の第２給電部２９と当接する。すなわち、カメラ１００の受電部１８、１９は、照明装置の給電部２８、２９（螺着部）と螺着する。このようにカメラ１００の受電部１８、１９が照明装置２００の給電部２８、２９に螺着した状態で、図１の第１スイッチＳＷ１がオンの状態となったとき、照明装置２００からカメラ１００に電源が供給される。
【００４５】
照明装置２００の遮蔽板２０１は、図２に示すように、照明装置２００の給電部２８、２９（螺着部）の周囲に取り付けられており、カメラ１００を螺着したとき、カメラ２００の周囲を取り囲むようになっている。したがって、この遮蔽板２０１は、カメラ１００が螺着された状態で、図１の第３スイッチＳＷ３がオンの状態となったとき、蛍光灯２１からカメラ１００への光の回り込みを遮蔽する。
【００４６】
（第２実施形態）
図５は本発明の第２実施形態における監視システムを示すブロック図、図６は本発明の第２実施形態におけるカメラ１１０を示す断面図、図７はそのカメラ１１０を示す斜視図である。なお、図５、図６および図７において、第１実施形態の図１、図３、図４に示す構成要件と同じ構成要件には同じ符号を付している。
【００４７】
図６および図７に示すように、第２実施形態のカメラ１１０は、第１実施形態のカメラと異なり、第１受電部１８および第２受電部１９から絶縁して配設され、照明装置の第１給電部２８および第２給電部２９に映像信号を出力する信号出力端子１１１を有している。具体的には、カメラ１１０の信号出力端子１１１は、絶縁体１１２によって、カメラ１１０の第１受電部１８と絶縁されており、また、第２受電部１９とも絶縁されている。
【００４８】
また、信号出力端子１１１は、カメラ１１０が照明装置に螺着されることによって、照明装置の信号入力端子２１１と当接する。
【００４９】
なお、第２実施形態の照明装置においては、第１給電部２８、第２給電部２９、および、信号入力端子２１１が、ナツメ球またはカメラ１１０を螺着する螺着部を構成する。
【００５０】
また、図５において、カメラ１１０の信号出力回路１１６は、信号処理回路１４その他のカメラ１１０内の各部に電源を供給するとともに、信号処理回路１４によって合成された合成信号（映像信号および音声信号）を信号出力端子１１１に出力する。
【００５１】
また、照明装置２１０は、信号重畳回路２５が、信号出力端子１１１を介して入力した合成信号（映像信号および音声信号）を、外部電源電流に重畳する。
【００５２】
図８に照明装置（２００または２１０）および監視装置３００を設置した例を示す。映像信号、音声信号、および、照明制御信号は、既設の電灯線を介して伝送する。
【００５３】
以上説明したように、第１実施形態および第２実施形態の照明装置は、補助灯の代わりにカメラを螺着することによって、照明灯が消灯しているときのみカメラが画像を撮像することとなり、照明灯を消灯して住居外に外出しているときのみ、監視カメラを作動させるようにすることができることとなる。また、新たなカメラを設置するためのスペースを特に必要としないので、容易に監視システムを導入することができることとなる。
【００５４】
また、第１実施形態および第２実施形態の照明装置は、カメラからの映像信号を外部電源電流に重畳し、電灯線上に伝送するので、映像信号を伝送する伝送ケーブルの配線作業が不必要となり、また、配線のコストがかからず、容易に監視システムを導入することができることとなる。
【００５５】
また、第１実施形態および第２実施形態の照明装置は、照明灯その他の周囲からの光がカメラに回り込むことがなくなるので、鮮明な画像を撮像することができることとなる。
【００５６】
また、第１実施形態および第２実施形態の監視装置は、カメラが画像を撮像しているときに、電灯線を介して、外部から照明灯を点灯および消灯することができるので、必要なときのみ、鮮明な画像によって住居内の状況を的確に把握することができることとなる。
【００５７】
また、第１実施形態および第２実施形態の監視装置は、電灯線に接続すれば、住居内の監視をすることができることとなる。
【００５８】
なお、信号重畳回路３７と、信号抽出回路３１と、信号処理回路３２と、画像認識部３５と、照明指示部３６とを有する制御装置を、外部電源供給線に接続するようにしてもよい。この場合、監視装置３００は、信号抽出回路３１と、信号処理回路３２と、モニタ３３（画像出力手段）と、スピーカ３４（音声出力手段）とを有するように構成してもよい。このように、照明灯の点灯および消灯を制御する制御装置と、住居内を監視する監視装置とを異なる装置として構成してもよい。
【００５９】
また、信号抽出回路３１と信号重畳回路３７とを有する信号重畳抽出装置を監視装置および制御装置とは異なる装置として構成してもよい。
【００６０】
【発明の効果】
本発明は、照明灯の点灯状態に追従させることができるという優れた効果を有するカメラ内蔵型照明装置を提供することができるものである。
【図面の簡単な説明】
【図１】本発明の第１実施形態における監視システムを示すブロック図
【図２】本発明の第１実施形態における照明装置を示す斜視図
【図３】本発明の第１実施形態におけるカメラを示す断面図
【図４】本発明の第１実施形態におけるカメラを示す斜視図
【図５】本発明の第２実施形態における監視システムを示すブロック図
【図６】本発明の第２実施形態におけるカメラを示す断面図
【図７】本発明の第２実施形態におけるカメラを示す斜視図
【図８】本発明の第１実施形態および第２実施形態における動作を説明するための図
【符号の説明】
１００、１１０  カメラ
１１    カメラのレンズ
１２    カメラのＣＣＤ
１３    カメラのマイク
１４    カメラの信号処理回路
１５    カメラの信号重畳回路
１８    カメラの第１の受電部
１９    カメラの第２の受電部
１１１  カメラの信号出力端子
１１２  カメラの絶縁部
１１６  カメラの信号出力回路
２００、２１０  照明装置
２１    照明装置の蛍光灯（照明灯）
２２    照明装置の励磁コイル
２３    ナツメ球（補助灯）
２４    照明装置の信号抽出回路
２５    照明装置の信号重畳回路
２６    照明装置の信号抽出回路
２７    照明装置の照明制御部
２８    照明装置の第１給電部（螺着部）
２９    照明装置の第２給電部（螺着部）
２０１  遮蔽板
２１１  照明装置の信号入力端子
ＳＷ１  照明装置の第１スイッチ
ＳＷ２  照明装置の第２スイッチ
ＳＷ３  照明装置の第３スイッチ
３００  監視装置（制御装置および監視装置）
３１    監視装置の信号抽出回路
３２    監視装置の信号処理回路
３３    監視装置のモニタ（映像出力部）
３４    監視装置のスピーカ（音声出力部）
３５    監視装置の画像認識部
３６    監視装置の照明指示部
３７    監視装置の信号重畳回路
【図１】
0003568901.tif 000002
【図２】
0003568901.tif 000003
【図３】
0003568901.tif 000004
【図４】
0003568901.tif 000005
【図５】
0003568901.tif 000006
【図６】
0003568901.tif 000007
【図７】
0003568901.tif 000008
【図８】
0003568901.tif 000009